(57)【要約】【課題】洗浄能力を保持したままで、洗浄水量の低減及びサイホン切れ音の低減を図ることができるサイホンジェット式便器を提供することを目的とする。【解決手段】上記課題を解決するために、ジェット給水の流路であるジェット流路部を備え、該ジェット流路部の一端にジェット給水を吐出するジェット吐出部を備え、該ジェット流路部に前記ジェット流路部の流路面積を縮小する絞り部を備え、該絞り部の近傍に自然吸気により空気を吸引する流路である空気吸引流路部を備え、空気を混入させた洗浄水である気泡混入水を該ジェット吐出部から吐出するサイホンジェット式便器において、ジェット給水時に、気泡混入水を吐出する前記ジェット吐出部の開口面積と、洗浄水のみを吐出する洗浄水吐出部の開口面積とを異ならせた。【選択図】  図１
2004270163.tif 000002
【特許請求の範囲】
【請求項１】
ジェット給水の流路であるジェット流路部を備え、該ジェット流路部の一端にジェット給水を吐出するジェット吐出部を備え、該ジェット流路部に前記ジェット流路部の流路面積を縮小する絞り部を備え、該絞り部の近傍に自然吸気により空気を吸引する流路である空気吸引流路部を備え、空気を混入させた洗浄水である気泡混入水を該ジェット吐出部から吐出するサイホンジェット式便器において、
ジェット給水時に、気泡混入水を吐出する前記ジェット吐出部の開口面積と、洗浄水のみを吐出する洗浄水吐出部の開口面積とを異ならせたことを特徴とするサイホンジェット式便器。
【請求項２】
前記絞り部の上流側である前記ジェット流路部に流路が分岐する分岐部を備え、該分岐部を一端とする流路を形成する分岐流路部を備え、該分岐流路の他端に前記洗浄水吐出部を備えるとともに、前記ジェット吐出部からの洗浄水の吐出流量と前記洗浄水吐出部からの洗浄水の吐出流量を制御する吐出制御部を設けたことを特徴とする請求項１記載のサイホンジェット式便器。
【請求項３】
前記空気吸引流路部に空気吸引流量を制御する空気吸引制御部を設けたことを特徴とする請求項２記載のサイホンジェット式便器。
【請求項４】
前記吐出制御部と前記空気吸引制御部とを連動させたことを特徴とする請求項３記載のサイホンジェット式便器。
【請求項５】
前記ジェット吐出部を、トラップ部の流入口の上部に対向した位置である流入口対向部に連通させたことを特徴とする請求項２から４のいずれか１項記載のサイホンジェット式便器。
【請求項６】
前記ジェット吐出部に、前記ジェット流路部の開口面積を制御する開口面積制御部を設けたことを特徴とする請求項１記載のサイホンジェット式便器。
【請求項７】
前記空気吸引流路部に空気吸引流量を制御する空気吸引制御部を設けたことを特徴とする請求項６記載のサイホンジェット式便器。
【請求項８】
前記開口面積制御部と前記空気吸引制御部とを連動させたことを特徴とする請求項７記載のサイホンジェット式便器。
【発明の詳細な説明】
【０００１】
【発明の属する技術分野】
本発明は、自然吸気により気泡を混入した洗浄水を吐出するジェット吐出部を備えたサイホンジェット式便器の改良に関する。
【０００２】
【従来の技術】
従来の技術として、気泡を混入した洗浄水を吐出するジェット吐出部を備えたサイホンジェット式便器が知られている（例えば特許文献１参照。）。このサイホンジェット式便器は、洗浄水量の低減を図ることができ、また、トラップ部の流入口から侵入した空気を分裂させることにより、サイホン作用終了時に発生していたサイホン切れ音を低減することができる。
【０００３】
【特許文献１】
特開平６−１７３３０９号公報（第１頁、第１図）
【０００４】
【発明が解決しようとする課題】
しかし、従来の気泡混入サイホンジェット式便器は、空気混入量の調整はできたが、ジェット吐出部の開口面積の調整はできなかった。そのため、自然吸気により気泡を混入させた洗浄水を吐出する際と洗浄水のみを吐出する際とのどちらにもおいて、同一のジェット吐出部から洗浄水を吐出しなければならず、エネルギー効率が悪かった。その結果、自然吸気により気泡を混入させた洗浄水を吐出した後に洗浄水のみを吐出する場合において、洗浄水の流量を大きくしなければ、洗浄能力が劣ることがあった。
本発明は、このような課題を解決するためになされたもので、洗浄能力を保持したままで、洗浄水量の低減及びサイホン切れ音の低減を図ることができるサイホンジェット式便器を提供することを目的とする。
【０００５】
【課題を解決するための手段およびその作用・効果】
上記課題を解決するためになされた請求項１記載のサイホンジェット式便器は、ジェット給水の流路であるジェット流路部を備え、該ジェット流路部の一端にジェット給水を吐出するジェット吐出部を備え、該ジェット流路部に前記ジェット流路部の流路面積を縮小する絞り部を備え、該絞り部の近傍に自然吸気により空気を吸引する流路である空気吸引流路部を備え、空気を混入させた洗浄水である気泡混入水を該ジェット吐出部から吐出するサイホンジェット式便器において、ジェット給水時に、気泡混入水を吐出する前記ジェット吐出部の開口面積と、洗浄水のみを吐出する洗浄水吐出部の開口面積とを異ならせたことを特徴とする。
本発明によれば、請求項１記載のサイホンジェット式便器は、ジェット給水時に、気泡混入水を吐出する前記ジェット吐出部の開口面積と、洗浄水のみを吐出する洗浄水吐出部の開口面積とを異ならせることができる。
したがって、気泡混入水を吐出する際と洗浄水のみを吐出する際のどちらにおいても、最適な開口面積により吐出することができ、エネルギー効率が高い。そのため、洗浄能力を保持したままで、気泡混入水の吐出及び洗浄水のみの吐出を切り替えることができ、洗浄水量の低減及びサイホン切れ音の低減を図ることができる。
【０００６】
また、請求項２記載のサイホンジェット式便器は、請求項１記載のサイホンジェット式便器において、前記絞り部の上流側である前記ジェット流路部に流路が分岐する分岐部を備え、該分岐部を一端とする流路を形成する分岐流路部を備え、該分岐流路の他端に前記洗浄水吐出部を備えるとともに、前記ジェット吐出部からの洗浄水の吐出流量と前記洗浄水吐出部からの洗浄水の吐出流量を制御する吐出制御部を設けたことを特徴とする。
本発明によれば、請求項１記載のサイホンジェット式便器において、前記絞り部の上流側である前記ジェット流路部に流路が分岐する分岐部を備え、該分岐部を一端とする流路を形成する分岐流路部を備え、該分岐流路の他端に前記洗浄水吐出部を備えるとともに、前記ジェット吐出部からの洗浄水の吐出流量と前記洗浄水吐出部からの洗浄水の吐出流量を制御する吐出制御部を設けることができる。
したがって、ジェット吐出部から気泡混入水を吐出するとともに、別に設けた洗浄水吐出部から洗浄水のみを吐出することができ、気泡混入水を吐出する際と洗浄水のみを吐出する際のどちらにおいても、最適な開口面積により吐出することができ、エネルギー効率が高い。
そのため、洗浄能力を保持したままで、気泡混入水の吐出及び洗浄水のみの吐出を切り替えることができ、洗浄水量の低減及びサイホン切れ音の低減を図ることができる。
【０００７】
また、請求項３記載のサイホンジェット式便器は、請求項２記載のサイホンジェット式便器において、前記空気吸引流路部に空気吸引流量を制御する空気吸引制御部を設けたことを特徴とする。
本発明によれば、請求項２記載のサイホンジェット式便器において、前記空気吸引流路部に空気吸引流量を制御する空気吸引制御部を設けることができる。
したがって、空気吸引制御部により空気吸引流量を制御することができ、最適な気泡混入率で気泡混入水を吐出することができる。
そのため、洗浄水量の低減及びサイホン切れ音の低減の効率化を図ることができる。
【０００８】
また、請求項４記載のサイホンジェット式便器は、請求項３記載のサイホンジェット式便器において、前記吐出制御部と前記空気吸引制御部とを連動させたことを特徴とする。
本発明によれば、請求項３記載のサイホンジェット式便器において、前記吐出制御部と前記空気吸引制御部とを連動させることができる。
したがって、空気吸引制御部により空気吸引流量を制御することができると同時に、吐出制御部により洗浄水量を制御することができるので、最適な洗浄水量及び気泡混入率で気泡混入水を吐出することができる。
そのため、洗浄水量の低減及びサイホン切れ音の低減の効率化を図ることができる。
【０００９】
また、請求項５記載のサイホンジェット式便器は、前記ジェット吐出部を、トラップ部の流入口の上部に対向した位置である流入口対向部に連通させたことを特徴とする。
本発明によれば、請求項２から４のいずれか１項記載のサイホンジェット式便器において、前記ジェット吐出部を、トラップ部の流入口の上部に対向した位置である流入口対向部に連通させることができる。
したがって、ジェット吐出部から、トラップ部の流入口の上部に向けて気泡混入水を吐出することができる。
そのため、サイホン切れ音の低減の効率化を図ることができる。
【００１０】
また、請求項６記載のサイホンジェット式便器は、請求項１記載のサイホンジェット式便器において、前記ジェット吐出部に、前記ジェット流路部の開口面積を制御する開口面積制御部を設けたことを特徴とする。
本発明によれば、請求項１記載のサイホンジェット式便器において、前記ジェット吐出部に、前記ジェット流路部の開口面積を制御する開口面積制御部を設けることができる。
したがって、ジェット流路部の開口面積を制御することによって、ジェット吐出部から気泡混入水を吐出するとともに、同時にそのジェット吐出部を洗浄水吐出部として洗浄水のみを吐出することができ、気泡混入水を吐出する際と洗浄水のみを吐出する際のどちらにおいても、最適な開口面積により吐出することができ、エネルギー効率が高い。
そのため、洗浄能力を保持したままで、気泡混入水の吐出及び洗浄水のみの吐出を切り替えることができ、洗浄水量の低減及びサイホン切れ音の低減を図ることができる。
【００１１】
また、請求項７記載のサイホンジェット式便器は、請求項６記載のサイホンジェット式便器において、前記空気吸引流路部に空気吸引流量を制御する空気吸引制御部を設けたことを特徴とする。
本発明によれば、請求項６記載のサイホンジェット式便器において、前記空気吸引流路部に空気吸引流量を制御する空気吸引制御部を設けることができる。
したがって、空気吸引制御部により空気吸引流量を制御することができ、最適な気泡混入率で気泡混入水を吐出することができる。
そのため、洗浄水量の低減及びサイホン切れ音の低減の効率化を図ることができる。
【００１２】
また、請求項８記載のサイホンジェット式便器は、請求項７記載のサイホンジェット式便器において、前記開口面積制御部と前記空気吸引制御部とを連動させたことを特徴とする。
本発明によれば、請求項７記載のサイホンジェット式便器において、前記開口面積制御部と前記空気吸引制御部とを連動させることができる。
したがって、空気吸引制御部により空気吸引流量を制御することができると同時に、開口面積制御部により開口面積を制御することができるので、最適な洗浄流量及び気泡混入率で気泡混入水を吐出することができる。
そのため、洗浄水量の低減及びサイホン切れ音の低減の効率化を図ることができる。
【００１３】
【発明の実施の形態】
以下、図面にそって本発明に係る実施例を説明する。
図１は、洗浄水のみを吐出する洗浄水吐出口と気泡混入水を吐出するジェット吐出口とを開口面積を異ならせて設けた本発明のサイホンジェット式便器の第一実施例を示す縦断面図である。
図１において、サイホンジェット式便器１は、ボウル部２とトラップ部３を有する。給水管４は給水のＯＮ／ＯＦＦを行う給水弁５を有するとともに分岐して、リム給水のＯＮ／ＯＦＦを行うリム給水弁６およびジェット給水のＯＮ／ＯＦＦを行うジェット給水弁７の一端に接続する。リム給水弁６の他端はリム給水管８を介してリム通水路９へ接続し、ジェット給水弁７の他端はジェット流路であるジェット流路部１０へ接続する。ジェット流路部１０は、流路が分岐する分岐部１１を備え、その分岐部１１を一端とする流路を形成する分岐流路部１２を備え、その分岐流路部１２の他端に洗浄水のみを吐出する洗浄水吐出部１３を備える。
また、分岐部１１を一端とする流路は、流路面積を縮小する絞り部１４を介して、トラップ部３の流入口の上部に対向した位置に連通したジェット吐出部１５に接続するとともに、絞り部１４の近傍に自然吸気により空気を吸引する流路である空気吸引流路部１６を備える。
そして、分岐部１１には、洗浄水吐出部１３からの洗浄水の吐出流量とジェット吐出部１５からの洗浄水の吐出流量を制御する吐出制御部１７を設け、空気吸引流路部１６に空気吸引流量を制御する空気吸引制御部１８を設けるとともに、吐出制御部１７と空気吸引制御部１８とを連動させて備える。分岐制御部１７は、給水弁５、リム給水弁６及びジェット給水弁７とともに、制御部１９に連動しており、制御部１９は、操作部（図示しない）からの洗浄起動入力で、作動するように設ける。
【００１４】
操作部の洗浄スイッチ等が押されて洗浄起動入力が制御部１９に与えられると、まず制御部１９は、給水弁５とリム給水弁６を開弁状態に駆動する。これにより、洗浄水がリム給水管８およびリム通水路９を介して、リム通水路９の下部に設けられた複数のリム射水孔（図示しない）からボウル部２に供給され、ボウル部２の洗浄が行われるとともに、ボウル部２の水位が上昇する。
第二に、制御部１９は、リム給水弁６を閉弁状態に駆動し、ジェット給水弁７を開弁状態に駆動するとともに、吐出制御部１７を洗浄水吐出部１３から洗浄水を吐出するように駆動する。これにより、トラップ部３が洗浄水によって満水状態になりサイホン作用が発生する。
第三に、制御部１９は、吐出制御部１７をジェット吐出部１５から気泡を混入した洗浄水である気泡混入水を吐出するように駆動することによって、絞り部１４において発生するエジェクタ効果で、空気吸引制御部１８を介して空気吸引流路部１６に空気が吸引されて、ジェット吐出部１５から気泡混入水が吐出される。これにより、サイホン作用が終了する際に発生するサイホン切れ音を低減することができる。
第四に、制御部１９は、吐出制御部１７を洗浄水吐出部１３から洗浄水を吐出するように駆動する。これにより、排出されずにボウル部２に残った汚水を排出する。
最後に、制御部１９は、ジェット給水弁７を閉弁状態に駆動し、リム給水弁６を開弁状態に駆動する。これにより、洗浄水がボウル部２に供給され、ボウル部２の封水が行われ、便器洗浄が終了する。
【００１５】
図２は、図１のボウル部の底部を拡大して表示した縦断面図である。
【００１６】
図３は、洗浄水のみを吐出する洗浄水吐出口と気泡混入水を吐出するジェット吐出口とを開口面積を異ならせて設けた本発明のサイホンジェット式便器の第二実施例を示す縦断面図である。
図３において、ジェット吐出部１５は、洗浄水吐出部１３に隣接して、ボウル部２の底部に設けられている。
【００１７】
図４は、ジェット吐出部に開口面積制御部を設けた本発明のサイホンジェット式便器の第三実施例を示す縦断面図である。
図４において、サイホンジェット式便器１は、ボウル部２とトラップ部３を有する。給水管４は給水のＯＮ／ＯＦＦを行う給水弁５を有するとともに分岐して、リム給水のＯＮ／ＯＦＦを行うリム給水弁６およびジェット給水のＯＮ／ＯＦＦを行うジェット給水弁７の一端に接続する。リム給水弁６の他端はリム給水管８を介してリム通水路９へ接続し、ジェット給水弁７の他端はジェット流路であるジェット流路部１０へ接続する。ジェット流路部１０は、流路面積を縮小する絞り部１４を介して、ボウル部２の底部に連通したジェット吐出部１５に接続するとともに、絞り部１４の近傍に自然吸気により空気を吸引する流路である空気吸引流路部１６を備える。
そして、ジェット吐出部１５は、ジェット流路部の開口面積を制御する開口面積制御部２０を備える。また、絞り部１４の近傍に自然吸気により空気を吸引する流路である空気吸引流路部１６を備えるとともに、空気吸引流路部１６に空気吸引流量を制御する空気吸引制御部１８を設けるとともに、開口面積制御部２０と空気吸引制御部１８とを連動させて備える。
開口面積制御部２０は、給水弁５、リム給水弁６及びジェット給水弁７とともに、制御部１９に連動しており、制御部１９は、操作部（図示しない）からの洗浄起動入力で、作動するように設ける。
【００１８】
操作部の洗浄スイッチ等が押されて洗浄起動入力が制御部１９に与えられると、まず制御部１９は、給水弁５とリム給水弁６を開弁状態に駆動する。これにより、洗浄水がリム給水管８およびリム通水路９を介して、リム通水路９の下部に設けられた複数のリム射水孔（図示しない）からボウル部２に供給され、ボウル部２の洗浄が行われるとともに、ボウル部２の水位が上昇する。
第二に、制御部１９は、リム給水弁６を閉弁状態に駆動し、ジェット給水弁７を開弁状態に駆動するとともに、開口面積制御部２０の開度を小さく、かつ、空気吸引制御部１８を閉弁状態にして、ジェット吐出部１５から洗浄水を吐出するように駆動する。これにより、トラップ部３が洗浄水によって満水状態になりサイホン作用が発生する。
第三に、制御部１９は、開口面積制御部２０の開度を大きく、かつ、空気吸引制御部１８を開弁状態にして、ジェット吐出部１５から気泡を混入した洗浄水である気泡混入水を吐出するように駆動することによって、絞り部１４において発生するエジェクタ効果で、空気吸引制御部１８を介して空気吸引流路部１６に空気が吸引されて、ジェット吐出部１５から気泡混入水が吐出される。これにより、サイホン作用が終了する際に発生するサイホン切れ音を低減することができるともに、サイホン作用が終了した後にボウル部２に残った残水を排出する。
最後に、制御部１９は、ジェット給水弁７を閉弁状態に駆動し、リム給水弁６を開弁状態に駆動する。これにより、洗浄水がボウル部２に供給され、ボウル部２の封水が行われ、便器洗浄が終了する。
【００１９】
図５は、図４のボウル部の底部を拡大して表示した縦断面図である。
【００２０】
図６は、第一実施例における第一洗浄段階を模式的に示す縦断面図である。給水弁５とリム給水弁６を開弁状態に駆動したものである。リム給水を実線の矢印で模式的に表わす。
【００２１】
図７は、第一実施例における第二洗浄段階を模式的に示す縦断面図である。ジェット給水弁７を開弁状態に駆動するとともに、吐出制御部１７を洗浄水吐出部１３から洗浄水を吐出するように駆動したものである。ジェット給水を実線の矢印で模式的に表わす。
【００２２】
図８は、第一実施例における第三洗浄段階を模式的に示す縦断面図である。吐出制御部１７をジェット吐出部１５から気泡混入水を吐出するように駆動したものである。気泡混入水のジェット給水を実線及び破線の矢印で、模式的に表わす。
【００２３】
図９は、第一実施例における第四洗浄段階を模式的に示す縦断面図である。吐出制御部１７を洗浄水吐出部１３から洗浄水を吐出するように駆動したものである。ジェット給水を実線の矢印で模式的に表わす。
【００２４】
図１０は、第一実施例における第五洗浄段階を模式的に示す縦断面図である。給水弁５とリム給水弁６を開弁状態に駆動したものである。リム給水を実線の矢印で模式的に表わす。
【００２５】
図１１は、第二実施例における第一洗浄段階を模式的に示す縦断面図である。リム給水を実線の矢印で模式的に表わす。
【００２６】
図１２は、第二実施例における第二洗浄段階を模式的に示す縦断面図である。リム給水弁６を閉弁状態に駆動し、ジェット給水弁７を開弁状態に駆動するとともに、開口面積制御部２０の開度を小さく、かつ、空気吸引制御部１８を閉弁状態にして、ジェット吐出部１５から洗浄水を吐出するように駆動したものである。ジェット給水を実線の矢印で模式的に表わす。
【００２７】
図１３は、第二実施例における第三洗浄段階を模式的に示す縦断面図である。制御部１９は、開口面積制御部２０の開度を大きく、かつ、空気吸引制御部１８を開弁状態にして、ジェット吐出部１５から気泡混入水を吐出するように駆動したものである。気泡混入水のジェット給水を実線及び破線の矢印で、模式的に表わす。
【００２８】
図１４は、第二実施例における第四洗浄段階を模式的に示す縦断面図である。ジェット給水弁７を閉弁状態に駆動し、リム給水弁６を開弁状態に駆動したものである。リム給水を実線の矢印で模式的に表わす。
【図面の簡単な説明】
【図１】図１は、洗浄水のみを吐出する洗浄水吐出口と気泡混入水を吐出するジェット吐出口とを開口面積を異ならせて設けた本発明のサイホンジェット式便器の第一実施例を示す縦断面図である。
【図２】図２は、図１のボウル部の底部を拡大して表示した縦断面図である。
【図３】図３は、洗浄水のみを吐出する洗浄水吐出口と気泡混入水を吐出するジェット吐出口とを開口面積を異ならせて設けた本発明のサイホンジェット式便器の第二実施例を示す縦断面図である。
【図４】図４は、ジェット吐出部に開口面積制御部を設けた本発明のサイホンジェット式便器の第三実施例を示す縦断面図である。
【図５】図５は、図４のボウル部の底部を拡大して表示した縦断面図である。
【図６】図６は、第一実施例における第一洗浄段階を模式的に示す縦断面図である。給水弁５とリム給水弁６を開弁状態に駆動したものである。
【図７】図７は、第一実施例における第二洗浄段階を模式的に示す縦断面図である。
【図８】図８は、第一実施例における第三洗浄段階を模式的に示す縦断面図である。
【図９】図９は、第一実施例における第四洗浄段階を模式的に示す縦断面図である。
【図１０】図１０は、第一実施例における第五洗浄段階を模式的に示す縦断面図である。
【図１１】図１１は、第二実施例における第一洗浄段階を模式的に示す縦断面図である。
【図１２】図１２は、第二実施例における第二洗浄段階を模式的に示す縦断面図である。
【図１３】図１３は、第二実施例における第三洗浄段階を模式的に示す縦断面図である。
【図１４】図１４は、第二実施例における第四洗浄段階を模式的に示す縦断面図である。
【符号の説明】
１…サイホンジェット式便器
２…ボウル部
３…トラップ部
４…給水管
５…給水弁
６…リム給水弁
７…ジェット給水弁
８…リム給水管
９…リム通水路
１０…ジェット流路部
１１…分岐部
１２…分岐流路部
１３…洗浄水吐出部
１４…絞り部
１５…ジェット吐出部
１６…空気吸引流路部
１７…吐出制御部
１８…空気吸引制御部
１９…制御部
２０…開口面積制御部
【図１】
2004270163.tif 000003
【図２】
2004270163.tif 000004
【図３】
2004270163.tif 000005
【図４】
2004270163.tif 000006
【図５】
2004270163.tif 000007
【図６】
2004270163.tif 000008
【図７】
2004270163.tif 000009
【図８】
2004270163.tif 000010
【図９】
2004270163.tif 000011
【図１０】
2004270163.tif 000012
【図１１】
2004270163.tif 000013
【図１２】
2004270163.tif 000014
【図１３】
2004270163.tif 000015
【図１４】
2004270163.tif 000016